(57)【要約】      （修正有）【課題】静音化できるプロジェクターを提供する。【解決手段】プロジェクターは、複数の光源と、複数の光源に冷却空気を流通させる複数の冷却ファン６１（６１Ａ〜６１Ｄ）と、複数の光源のうち点灯していない光源がある場合に、複数の冷却ファン６１（６１Ａ〜６１Ｄ）のうち、点灯していない光源に冷却空気を流通させる冷却ファン６１の回転速度を低減させる制御装置７と、を有する。【選択図】図２
2016170206.tif 000002
【特許請求の範囲】
【請求項１】
複数の光源と、
前記複数の光源に冷却空気を流通させる複数の冷却ファンと、
前記複数の光源のうち点灯していない光源がある場合に、前記複数の冷却ファンのうち、前記点灯していない光源に前記冷却空気を流通させる冷却ファンの回転速度を低減させる制御装置と、を有することを特徴とするプロジェクター。
【請求項２】
請求項１に記載のプロジェクターにおいて、
前記複数の冷却ファンは、前記複数の光源のうち対応する光源に冷却空気を流通させ、
前記複数の冷却ファンの数と、前記複数の光源の数とは同じであることを特徴とするプロジェクター。
【請求項３】
請求項１又は請求項２に記載のプロジェクターにおいて、
前記制御装置は、前記複数の光源のうち点灯していない光源がある場合、前記複数の冷却ファンのうち前記点灯していない光源に前記冷却空気を流通させる冷却ファンを停止させることを特徴とするプロジェクター。
【請求項４】
複数の光源と、
前記複数の光源に冷却空気を流通させる冷却ファンと、
前記冷却空気を分流して前記複数の光源に分配するダクトと、
前記ダクト内を流通する前記冷却空気の流路を切り替える流路切替機構と、
前記複数の光源のうち点灯していない光源がある場合に、前記点灯していない光源に導かれていた前記冷却空気が他の光源に導かれるように前記流路切替機構を動作させ、前記冷却ファンの回転速度を低減させる制御装置と、を備えることを特徴とするプロジェクター。
【請求項５】
請求項４に記載のプロジェクターにおいて、
前記ダクトは、内部を流通する前記冷却空気を分流して、前記複数の光源のそれぞれに導く分流部を有し、
前記流路切替機構は、前記分流部に設けられ、前記点灯していない光源に向けて流通する前記冷却空気を遮蔽することを特徴とするプロジェクター。
【請求項６】
請求項１から請求項５のいずれか一項に記載のプロジェクターにおいて、
前記複数の光源のそれぞれは、発光管及び固体光源ユニットのいずれかであることを特徴とするプロジェクター。
【発明の詳細な説明】
【技術分野】
【０００１】
本発明は、プロジェクターに関する。
【背景技術】
【０００２】
従来、光源から出射された光を変調して画像情報に応じた画像を形成し、当該画像をスクリーン等の被投射面上に拡大投射するプロジェクターが知られている。
近年、プロジェクターの用途が多様化しており、投射画像の高輝度化の要望が高まってきている。これに対し、複数の光源装置を備えたプロジェクターが提案されている（例えば、特許文献１参照）。
この特許文献１に記載のプロジェクターは、超高圧水銀ランプ等の光源をそれぞれ有する２つの光源装置と、これら光源装置から入射される光を反射させる反射体と、を有する。そして、当該反射体により反射された光は、各種光学部品を介して液晶パネルによって変調され、投射レンズによって投射される。
【先行技術文献】
【特許文献】
【０００３】
【特許文献１】特開２０１０−１９９５４号公報
【発明の概要】
【発明が解決しようとする課題】
【０００４】
ところで、発光管や固体光源等の光源の点灯時には、当該光源は非常に高温となるが、当該光源は熱に弱く、適切に冷却されないと寿命が短くなる。このため、上記特許文献１に記載のプロジェクターのように、複数の光源を備えたプロジェクターでは、ファン等を有する冷却装置によって各光源に冷却空気を流通させ、当該冷却空気によって各光源を冷却する構成が考えられる。
しかしながら、複数の光源のうちのいずれかが点灯していない場合でも、当該光源に冷却空気を流通させ続けると、無駄に冷却装置が駆動されることとなり、当該冷却装置の駆動音や風切音が大きいままとなる。このような問題から、静音化できる構成が要望されてきた。
【０００５】
本発明は、上記課題の少なくとも一部を解決することを目的としたものであり、静音化できるプロジェクターを提供することを目的の１つとする。
【課題を解決するための手段】
【０００６】
本発明の第１態様に係るプロジェクターは、複数の光源と、前記複数の光源に冷却空気を流通させる複数の冷却ファンと、前記複数の光源のうち点灯していない光源がある場合に、前記複数の冷却ファンのうち、前記点灯していない光源に前記冷却空気を流通させる冷却ファンの回転速度を低減させる制御装置と、を有することを特徴とする。
【０００７】
なお、光源が点灯していない場合には、当該光源が寿命を迎えて点灯できなくなった場合の他、当該光源を意図的に消灯させている場合も含む。
ここで、プロジェクターが発生する騒音には、ファンの駆動音や、当該ファンの駆動によって生じる気流の風切音が大きな割合を占める。このことから、ファンの回転速度が低くなれば駆動音が小さくなる他、気流が弱まることにより風切音が小さくなるので、プロジェクターが発生する騒音も小さくなる。
これに対し、上記第１態様によれば、複数の光源のうち点灯していない光源がある場合には、制御装置により、当該点灯していない光源に冷却空気を流通させる冷却ファンの回転速度が低減される。これによれば、点灯していない光源に冷却空気を流通させる冷却ファンの駆動音を低減できる他、当該冷却ファンによる気流を弱めることができる。従って、これら駆動音及び風切音を小さくすることができ、プロジェクターを静音化できる。また、冷却ファンの消費電力を低減でき、ひいては、プロジェクターの消費電力も低減できる。
【０００８】
上記第１態様では、前記複数の冷却ファンは、前記複数の光源のうち対応する光源に冷却空気を流通させ、前記複数の冷却ファンの数と、前記複数の光源の数とは同じであることが好ましい。
上記第１態様によれば、冷却ファンと光源とは１対１で対応する。これによれば、各光源を効果的に冷却できる。
また、点灯していない光源が存在する場合には、当該光源を特定することにより、回転速度を低減させる対象とすべき冷却ファンを、制御装置が把握できる。従って、当該冷却ファンの回転速度を確実に低減できる。
【０００９】
上記第１態様では、前記制御装置は、前記複数の光源のうち点灯していない光源がある場合、前記複数の冷却ファンのうち前記点灯していない光源に前記冷却空気を流通させる冷却ファンを停止させることが好ましい。
上記第１態様によれば、点灯していない光源に冷却空気を流通させる冷却ファンは停止される。これによれば、冷却ファンの駆動音及び風切音を確実に低減できる。従って、プロジェクターを確実に静音化できる他、消費電力をより低減できる。
【００１０】
本発明の第２態様にプロジェクターは、複数の光源と、前記複数の光源に冷却空気を流通させる冷却ファンと、前記冷却空気を分流して前記複数の光源に分配するダクトと、前記ダクト内を流通する前記冷却空気の流路を切り替える流路切替機構と、前記複数の光源のうち点灯していない光源がある場合に、前記点灯していない光源に導かれていた前記冷却空気が他の光源に導かれるように前記流路切替機構を動作させ、前記冷却ファンの回転速度を低減させる制御装置と、を備えることを特徴とする。
【００１１】
なお、光源が点灯していない場合には、上記のように、当該光源が寿命を迎えて点灯できなくなった場合の他、当該光源を消灯させている場合も含む。
上記第２態様によれば、冷却ファンによってダクト内を流通する冷却空気は、当該ダクトにて分流されて、複数の光源に導かれる。ここで、複数の光源のうち点灯していない光源が存在する場合には、制御装置により動作される流路切替機構が、当該点灯していない光源に導かれる予定の冷却空気を他の光源に導く。これとともに、制御装置は、冷却ファンの回転速度を低減させる。
これによれば、点灯していない光源に導かれる冷却空気の分だけ、冷却ファンの回転速度を低減できるとともに、他の発光管を冷却できる流量の冷却空気を当該他の発光管に確実に流通させることができる。従って、冷却ファンの駆動音を低減できる他、発生する風切音を弱めることができるので、プロジェクターの静音化を図ることができる他、消費電力を低減できる。
【００１２】
上記第２態様では、前記ダクトは、内部を流通する前記冷却空気を分流して、前記複数の光源のそれぞれに導く分流部を有し、前記流路切替機構は、前記分流部に設けられ、前記点灯していない光源に向けて流通する前記冷却空気を遮蔽することが好ましい。
上記第２態様によれば、流路切替機構が、上記分流部に設けられていることにより、当該流路切替機構によって、点灯していない光源に向けて冷却空気が流通することを抑制できる他、当該点灯していない光源に向けて流通する冷却空気を他の光源に確実に分配できる。従って、現在点灯している光源を確実に冷却できる。
【００１３】
上記第１及び第２態様では、前記複数の光源のそれぞれは、発光管及び固体光源ユニットのいずれかであることが好ましい。
このような構成によれば、発光管及び固体光源ユニットのいずれかである光源が点灯していない場合にてプロジェクターから発生する騒音を低減できる。
【図面の簡単な説明】
【００１４】
【図１】本発明の第１実施形態に係るプロジェクターを示す概要斜視図。
【図２】上記第１実施形態におけるプロジェクターの内部構成を示すブロック図。
【図３】上記第１実施形態における光源装置の構成を示す図。
【図４】上記第１実施形態における制御装置の構成を示すブロック図。
【図５】上記第１実施形態における動作制御処理を示すフローチャート。
【図６】本発明の第２実施形態に係るプロジェクターの内部構成を示すブロック図。
【図７】上記第２実施形態における動作制御処理を示すフローチャート。
【図８】上記各実施形態における光源装置の変形を示す模式図。
【発明を実施するための形態】
【００１５】
［第１実施形態］
以下、本発明の第１実施形態について、図面に基づいて説明する。
［プロジェクターの外観構成］
図１は、本実施形態に係るプロジェクター１を示す概要斜視図である。
本実施形態に係るプロジェクター１は、後述する照明装置３１から出射される光を変調して画像情報に応じた画像を形成し、当該画像をスクリーン等の被投射面上に拡大投射する投射型表示装置である。
このプロジェクター１は、詳しくは後述するが、複数の光源装置３２と、当該複数の光源装置３２のそれぞれに応じた複数の冷却ファン６１と、を備え、当該複数の光源装置３２のいずれかの光源装置３２の発光管３２２が点灯していない状態では、当該光源装置３２に冷却空気を流通させる冷却ファン６１の回転速度を低減させる機能を有する。詳述すると、プロジェクター１は、いずれかの光源装置３２が点灯していない状態では、当該光源装置３２に冷却空気を流通させる冷却ファン６１の駆動を停止させ、これにより騒音の低減を図るものである。
このプロジェクター１は、図１に示すように、外装を構成する外装筐体２を備える。
【００１６】
外装筐体２は、天面部２１、底面部２２、正面部２３、背面部２４及び左右の側面部２５，２６を有する略直方体形状に形成されている。
天面部２１には、使用者がプロジェクター１を把持したり、天井等に設置された器具にプロジェクター１を固定する際に利用される一対の把手２１１が設けられている。また、天面部２１には、後述する光源装置３２を外装筐体２内に交換可能に収納するための開口部（図示省略）が形成され、当該開口部は、カバー部材２１２によって覆われている。
底面部２２には、図示を省略するが、設置台等の設置面上に載置される際に、当該設置面と接触する脚部が設けられている。
正面部２３には、後述する画像形成装置３を構成する投射光学装置３５の一部が露出する開口部２３１が形成されている。
これらの他、図示を省略するが、右側の側面部２６には、外装筐体２外の空気を内部に導入する導入口が形成され、左側の側面部２５には、外装筐体２内の空気を外部に排出する排気口が形成されている。
【００１７】
［プロジェクターの内部構成］
図２は、本実施形態に係るプロジェクター１の内部構成を示すブロック図である。
プロジェクター１は、上記外装筐体２の他、図２に示すように、当該外装筐体２内に収納される画像形成装置３、点灯装置４、点灯状態検出装置５、冷却装置６及び制御装置７を備える。この他、外装筐体２内には、図示を省略するが、プロジェクター１の構成部品に電力を供給する電源装置を有する。
【００１８】
［画像形成装置の構成］
画像形成装置３は、後述する制御装置７による制御の下、当該制御装置７から入力される画像情報（画像信号を含む）に応じた画像を形成及び投射する。このような画像形成装置３は、照明装置３１、光変調装置３４及び投射光学装置３５を有する。この他、図示を省略するが、画像形成装置３は、照明装置３１から出射された光の中心軸に直交する面内の照度分布（輝度分布）を均一化する均一化装置と、入射される光の偏光方向を揃える偏光変換装置と、当該照度分布が均一化された光から赤、緑及び青の色光を分離する色分離装置と、色合成装置と、を有する。
【００１９】
これらのうち、光変調装置３４は、上記均一化装置、偏光変換装置及び色分離装置を介して照明装置３１から入射される光を変調して、上記画像情報に応じた画像を形成する。本実施形態では、光変調装置３４は、上記色分離装置にて分離された各色光に応じて設けられ、当該各色光の画像を形成する。これら画像は、ダイクロイックプリズム等により構成される色合成装置により合成される。このような光変調装置３４としては、透過型及び反射型の液晶パネルを例示できる他、マイクロミラーを用いたデバイス、例えば、ＤＭＤ（Digital Micromirror Device）等の液晶以外の光変調装置を採用できる。
投射光学装置３５は、光変調装置３４により形成されて色合成装置により合成された画像を上記被投射面上に拡大投射する。この投射光学装置３５としては、図示を省略するが、鏡筒と、当該鏡筒内に収納配置される複数のレンズを有する組レンズを例示できる。
【００２０】
［光源装置の構成］
図３は、光源装置３２の構成を示す図である。
照明装置３１は、複数の光源装置３２を有する。本実施形態では、照明装置３１は、４つの光源装置３２（３２Ａ〜３２Ｄ）を有する。
各光源装置３２は、図３に示すように、光を出射する光源ランプ３２１、主反射鏡３２４及び平行化凹レンズ３２５と、これらを収納配置する収納体３２６と、を備える。
【００２１】
光源ランプ３２１は、光源としての発光管３２２と、副反射鏡３２３と、を有する。
発光管３２２は、後述する点灯装置４の点灯回路４１から供給されるランプ電力によって発光する略球形状の発光部３２２１と、発光部３２２１の両端から互いに反対方向に延出する一対の封止部３２２２，３２２３と、を有する。
一対の封止部３２２２，３２２３内には、図示を省略するが、発光部３２２１内の電極とそれぞれ電気的に接続される金属箔及びリード線が配置されている。これらのうち、発光部３２２１より光源装置３２からの光の出射方向側に位置する封止部３２２３には、発光部３２２１における当該出射方向側を覆って、入射される光を反射させる副反射鏡３２３が設けられている。また、当該封止部３２２３とは発光部３２２１を挟んで反対側に位置する封止部３２２２には、主反射鏡３２４が設けられている。
【００２２】
主反射鏡３２４は、入射される光を反射させて収束させる凹曲面状の反射面３２４１を有する反射鏡である。なお、本実施形態では、主反射鏡３２４は、回転楕円面を有する楕円面リフレクターにより構成されているが、回転放物面を有する放物面リフレクターにより構成してもよく、自由曲面リフレクターにより構成してもよい。
平行化凹レンズ３２５は、主反射鏡３２４により収束される光束を平行化する。
【００２３】
収納体３２６は、光源ランプ３２１及び主反射鏡３２４を内部に収納し、平行化凹レンズ３２５を支持する収納体本体３２６１と、ダクト３２６２と、を有する。
これらのうち、ダクト３２６２は、図示を省略するが、収納体本体３２６１に取り付けられて、当該収納体本体３２６１の外面と、当該ダクト３２６２の内面とにより、収納体３２６外から導入された空気を流通させて、収納体本体３２６１内の発光管３２２に導くダクト部を形成する。
このような構成を有する各光源装置３２の発光管３２２には、点灯装置４において対応する点灯回路４１からランプ電力が供給され、これにより、発光管３２２が点灯して、光源装置３２から光が出射される。
なお、各光源装置３２は、上記外装筐体２内に交換可能に設けられており、外装筐体２に設けられたカバー部材２１２（図１参照）を取り外して光源収納部（図示省略）を露出させることにより、当該光源収納部内に各光源装置３２を個別に交換できる。
【００２４】
［点灯装置の構成］
図２に戻り、点灯装置４は、各光源装置３２（３２Ａ〜３２Ｄ）の発光管３２２にランプ電力を供給して、当該発光管３２２を点灯させる装置である。この点灯装置４は、各光源装置３２に応じて設けられた複数の点灯回路４１（４１Ａ〜４１Ｄ）を有する。そして、点灯回路４１Ａ〜４１Ｄは、光源装置３２Ａ〜３２Ｄのうち、対応する光源装置３２に、それぞれ個別に上記ランプ電力を供給する。なお、このようなランプ電力として、点灯回路４１は、例えば、発光管３２２を高輝度点灯させる高輝度モード用のランプ電力と、発光管３２２を低輝度点灯させる低輝度モード用のランプ電力とのいずれかを、対応する光源装置３２の発光管３２２に供給する。これらのうち、高輝度モード用のランプ電力は、低輝度モード用のランプ電力より高い。
このような点灯回路４１が、対応する発光管３２２にどちらのランプ電力を供給するかは、後述する制御装置７によって決定される。
【００２５】
［点灯状態検出装置の構成］
点灯状態検出装置５は、光源装置３２Ａ〜３２Ｄの各発光管３２２の点灯状態を検出する。本実施形態では、点灯状態検出装置５は、各点灯回路４１Ａ〜４１Ｄによってランプ電力が供給された際に各発光管３２２を導通する電流の電圧値を検出することにより、各発光管３２２の点灯状態を検出し、当該各発光管３２２の点灯状態を制御装置７に出力する。この電圧値を判定することにより、制御装置７は、各発光管３２２が点灯しているか否かを把握できる。
【００２６】
［冷却装置の構成］
冷却装置６は、プロジェクター１を構成する画像形成装置３、制御装置７及び上記電源装置（図示省略）を冷却対象とし、これら冷却対象に冷却空気を流通させて、当該冷却対象を冷却する。この冷却装置６は、上記光源装置３２のそれぞれに冷却空気を流通させて、各光源装置３２の発光管３２２を冷却する複数の冷却ファン６１を有する。具体的に、冷却装置６は、４つの光源装置３２（３２Ａ〜３２Ｄ）に応じて４つの冷却ファン６１（６１Ａ〜６１Ｄ）を有する。
このような冷却装置６は、制御装置７により制御される。すなわち、冷却ファン６１Ａ〜６１Ｄの駆動は、当該制御装置７により個別に制御される。例えば、各冷却ファン６１Ａ〜６１Ｄの回転速度及びＯＮ／ＯＦＦは、制御装置７により制御される。
【００２７】
［制御装置の構成］
図４は、制御装置７の構成を示すブロック図である。
制御装置７は、ＣＰＵ（Central Processing Unit）等の処理装置や、フラッシュメモリー等の記憶装置を有し、プロジェクター１の動作を制御する。この制御装置７は、例えば、外部から入力される画像情報を必要に応じてデコードし、当該画像情報に応じた画像信号（駆動信号）を上記光変調装置３４に出力して、上記画像形成装置３に当該画像情報に応じた画像を形成及び投射させる。また、制御装置７は、上記光源装置３２を点灯させる点灯装置４の動作制御や、冷却装置６の動作制御を行う。
このような制御装置７は、図４に示すように、上記記憶装置により構成される記憶部７１と、当該記憶部７１に記憶されたプログラムを上記処理装置が処理することにより実現される点灯状態判定部７２、動作制御部７３及び報知部７４を有する。
【００２８】
記憶部７１は、プロジェクター１の動作に必要な各種プログラム及びデータを記憶している。例えば、記憶部７１は、上記光源装置３２の点灯に関する点灯装置４の動作制御や、上記冷却装置６の動作制御を実行する動作制御プログラムを記憶している。また例えば、記憶部７１は、各光源装置３２の想定寿命時間を記憶している他、各光源装置３２の累積点灯時間を記憶する。なお、光源装置３２の想定寿命時間は、光源装置３２（発光管３２２）の種別毎に予め記憶されていてもよく、装着された光源装置３２から取得されて記憶されてもよい。
点灯状態判定部７２は、上記点灯状態検出装置５による検出結果に基づいて、各光源装置３２の発光管３２２が点灯しているか否かを判定する。そして、点灯状態判定部７２は、点灯していない発光管３２２が存在する場合には、当該発光管３２２を有する光源装置３２を特定する。
【００２９】
動作制御部７３は、プロジェクター１の動作を制御する。
例えば、動作制御部７３は、上記画像信号を光変調装置３４に出力して、当該画像信号に応じた画像を形成させる。
また、動作制御部７３は、使用者により設定されたプロジェクター１の動作モードや上記画像情報に基づいて、各光源装置３２Ａ〜３２Ｄの点灯を制御する。具体的に、動作制御部７３は、対応する光源装置３２Ａ〜３２Ｄに点灯装置４の点灯回路４１Ａ〜４１Ｄが供給するランプ電力を制御して、当該光源装置３２〜３２Ｄの各発光管３２２の点灯を制御する。この際、投射画像の輝度を調整するために、動作制御部７３は、光源装置３２Ａ〜３２Ｄの少なくともいずれかを消灯させる場合もある。
【００３０】
また、動作制御部７３は、各発光管３２２の点灯状態に応じて、各冷却ファン６１の動作を個別に制御する。例えば、動作制御部７３は、発光管３２２が高輝度点灯されている場合には、対応する冷却ファン６１の回転速度を上げ、低輝度点灯されている場合には、対応する冷却ファン６１の回転速度を下げる。
更に、動作制御部７３は、点灯状態判定部７２によって点灯していない発光管３２２が存在すると判定された場合には、点灯していない発光管３２２を有すると特定された光源装置３２に冷却空気を流通させる冷却ファン６１を停止させる。
このように、動作制御部７３は、意図的に光源装置３２（発光管３２２）を消灯した場合でも、当該光源装置３２に冷却空気を流通させる冷却ファン６１を停止させる。
【００３１】
報知部７４は、プロジェクター１の動作に関する各種情報を報知する。例えば、上記点灯状態判定部７２によって発光管３２２が点灯していないと判定された場合で、かつ、当該発光管３２２の不点灯が動作制御部７３によって意図的になされたもの以外である場合（発光管３２２が点灯していない原因が寿命や不良の場合）には、所定の報知情報を報知する。
具体的に、発光管３２２が点灯していないと判定された場合で、かつ、累積点灯時間が記憶部７１に記憶されている想定寿命時間を超えている等、発光管３２２が点灯していない原因が寿命であることが想定される場合には、報知部７４は、発光管３２２が寿命を迎えた旨のメッセージや、該当する発光管３２２を有する光源装置３２の交換を促すメッセージを含む報知情報を報知する。一方、発光管３２２が点灯しない原因が点灯処理時の不具合等の不良である場合には、報知部７４は、プロジェクター１の再起動を促すメッセージを含む報知情報を報知する。このような報知部７４は、例えば、画像形成装置３に報知情報を含む画像をＯＳＤ（On Screen Display）によって表示させたり、音声出力装置（図示省略）に報知情報に応じた音声を出力させたりすることによって、当該報知情報を報知する。
【００３２】
［動作制御処理］
図５は、制御装置７により実行される動作制御処理を示すフローチャートである。
上記制御装置７を構成する処理装置は、記憶部７１に記憶された動作制御プログラムを読み出して、以下に示す動作制御処理を実行する。
この動作制御処理では、図５に示すように、まず、動作制御部７３が、使用者により設定されたプロジェクター１の動作モードや画像情報に基づいて、照明装置３１の各光源装置３２Ａ〜３２Ｄを点灯させる（ステップＳ１）。
また、動作制御部７３が、各光源装置３２Ａ〜３２Ｄの点灯状態に応じて、冷却装置６の各冷却ファン６１Ａ〜６１Ｄを駆動させる（ステップＳ２）。
【００３３】
次に、点灯状態判定部７２が、各光源装置３２の発光管３２２のうち、点灯していない発光管３２２が存在するか否かを判定する（ステップＳ３）。
このステップＳ３の判定処理にて、点灯していない発光管３２２は存在しないと判定されると（ステップＳ３：ＮＯ）、制御装置７は、処理をステップＳ１に戻す。
一方、ステップＳ３の判定処理にて、点灯していない発光管３２２が存在すると判定されると（ステップＳ３：ＹＥＳ）、動作制御部７３が、冷却ファン６１Ａ〜６１Ｄのうち、当該点灯していない発光管３２２を有する光源装置３２として特定された光源装置３２に冷却空気を流通させている冷却ファン６１を停止させる（ステップＳ４）。
【００３４】
この後、報知部７４が、発光管３２２が点灯していない原因を判定する（ステップＳ５）。具体的に、報知部７４は、当該原因が点灯不良や発光管３２２の寿命であるか否かを判定する。
このステップＳ５の判定処理にて、上記原因が点灯不良や寿命でないと判定されると（ステップＳ５：ＮＯ）、制御装置７は、当該原因は動作制御部７３による意図的な不点灯であると判断して、処理をステップＳ１に戻す。
一方、ステップＳ５の判定処理にて、上記原因が点灯不良及び寿命のいずれかであると判定されると（ステップＳ５：ＹＥＳ）、報知部７４は、当該原因や対処方法を示すメッセージを含む上記報知情報を報知する（ステップＳ６）。この後、制御装置７は、処理をステップＳ１に戻す。
このような動作制御処理は、プロジェクター１の電源がＯＮされている間、繰り返し実行される。
【００３５】
以上説明した本実施形態に係るプロジェクター１によれば、以下の効果がある。
光源としての各発光管３２２のうち点灯していない発光管３２２が存在する場合には、制御装置７の動作制御部７３は、当該点灯していない発光管３２２に冷却空気を流通させる冷却ファン６１の回転速度を低減させ、当該冷却ファン６１を停止させる。これによれば、点灯していない発光管３２２に冷却空気を流通させる冷却ファン６１の駆動音を低減できる他、当該冷却ファン６１によって生じる気流を弱めることができ、風切音を小さくすることができる。従って、プロジェクター１を静音化できる。また、駆動が制限される冷却ファン６１の消費電力、ひいては、プロジェクター１の消費電力を低減できる。
【００３６】
冷却ファン６１は、発光管３２２に応じて設けられており、当該冷却ファン６１と発光管３２２とは１対１で対応する。これによれば、各発光管３２２を効果的に冷却できる。
また、点灯していない発光管３２２が存在する場合には、当該発光管３２２が有する光源装置３２を特定しやすくすることができ、停止させる対象とすべき冷却ファン６１を制御装置７が容易に把握できる。従って、当該冷却ファン６１を確実に停止させることができる。
【００３７】
［第２実施形態］
次に、本発明の第２実施形態について説明する。
本実施形態に係るプロジェクターは、上記プロジェクター１と同様の構成を有する。ここで、当該プロジェクター１では、発光管３２２が点灯していない場合に、当該発光管３２２に冷却空気を流通させる冷却ファン６１を停止させた。これに対し、本実施形態に係るプロジェクターでは、各光源装置３２に冷却空気を流通させる冷却ファン６１の回転速度を低減させるとともに、流路切替機構によって、点灯していない発光管３２２を有する光源装置３２への冷却空気の流通を制限する。この点で、本実施形態に係るプロジェクターと上記プロジェクター１とは相違する。なお、以下の説明では、既に説明した部分と同一又は略同一である部分については、同一の符号を付して説明を省略する。
【００３８】
図６は、本実施形態に係るプロジェクター１Ａの内部構成を示すブロック図である。なお、図６においては、外装筐体２の図示を省略している。
本実施形態に係るプロジェクター１Ａは、図６に示すように、冷却装置６に代えて冷却装置６Ａを有し、更にダクト８及び複数の流路切替機構９１を有する他は、上記プロジェクター１と同様の構成を有する。
【００３９】
これらのうち、冷却装置６Ａは、上記冷却装置６と同様に、プロジェクター１を構成する冷却対象に冷却空気を流通させて、当該冷却対象を冷却する。本実施形態では、冷却装置６Ａは、各光源装置３２に冷却空気を流通させる冷却ファンとして１つの冷却ファン６１を有し、当該冷却ファン６１により、ダクト８を介して各光源装置３２Ａ〜３２Ｄに冷却空気が流通する。
ダクト８は、冷却ファン６１及び各光源装置３２と接続され、当該冷却ファン６１によって流通される冷却空気を各光源装置３２に導く。このダクト８は、内部を流通する冷却空気を光源装置３２（３２Ａ〜３２Ｄ）に応じて分流する分流部８１を有する。
【００４０】
流路切替機構９１は、光源装置３２に応じて設けられており、本実施形態では、光源装置３２Ａ〜３２Ｄに応じて４つの流路切替機構９１Ａ〜９１Ｄが設けられている。これら流路切替機構９１Ａ〜９１Ｄは、上記分流部８１において、分流された冷却空気が各光源装置３２Ａ〜３２Ｄに向かって流通する流路上に設けられている。これら流路切替機構９１は、制御装置７によって動作が制御され、当該流路を閉塞することにより、対応する光源装置３２に向かって流通する冷却空気を遮蔽する。
例えば、流路切替機構９１Ａは、分流部８１において光源装置３２Ａに流通する冷却空気の流路上に設けられ、当該流路を閉塞して当該光源装置３２Ａに流通する予定の冷却空気を遮蔽し、これにより、当該冷却空気を他の光源装置３２Ｂ〜３２Ｄに流通可能とする。他の流路切替機構９１Ｂ〜９１Ｄも同様である。
【００４１】
本実施形態では、制御装置７の動作制御部７３は、点灯状態判定部７２により、点灯していない光源装置３２（発光管３２２）が存在すると判定された場合には、当該光源装置３２に対応する流路切替機構９１を上記のように動作させる。これとともに、動作制御部７３は、上記冷却ファン６１の回転速度を低減させる。
例えば、動作制御部７３は、点灯していない光源装置３２への冷却空気の流通分だけ流量が少なくなるものの、点灯している光源装置３２への冷却空気の流通分が確保される程度に、冷却ファン６１の回転速度を低減させる。これにより、点灯している光源装置３２を冷却しつつ、冷却ファン６１の駆動音及び風切音を低減する。
【００４２】
［動作制御処理］
図７は、本実施形態にける制御装置７により実行される動作制御処理を示すフローチャートである。
本実施形態に係る制御装置７は、図５に示した動作制御処理に代えて、以下に示す動作制御処理を実行する。この動作制御処理も、記憶部７１に記憶された動作制御プログラムに基づいて実行される。
この動作制御処理では、図７に示すように、上記ステップＳ１〜Ｓ３が実行される。
そして、当該ステップＳ３の判定処理にて、点灯していない発光管３２２が存在すると判定されると（ステップＳ３：ＹＥＳ）、上記のように、動作制御部７３が、当該発光管３２２を有する光源装置３２に対応する流路切替機構９１に、当該光源装置３２への冷却空気の流路を閉塞させるとともに、冷却ファン６１の回転速度を低減させる（ステップＳＡ４）。
この後、制御装置７は、上記ステップＳ５を実行し、必要に応じてステップＳ６を実行した後、処理をステップＳ１に戻す。
このような動作制御処理は、プロジェクター１Ａの電源がＯＮされている間、繰り返し実行される。
【００４３】
以上説明した本実施形態に係るプロジェクター１Ａによれば、上記プロジェクター１と同様の効果を奏することができる他、以下の効果を奏することができる。
冷却ファン６１によってダクト８内を流通する冷却空気は、当該ダクト８の分流部８１にて分流されて、複数の光源装置３２のそれぞれが有する発光管３２２に導かれる。ここで、点灯していない発光管３２２が存在する場合には、制御装置７の動作制御部７３により動作される流路切替機構９１が、当該点灯していない発光管３２２に導かれる予定の冷却空気を他の発光管３２２に導く。これとともに、動作制御部７３は、冷却ファン６１の回転速度を低減させる。
これによれば、点灯していない発光管３２２に導かれる冷却空気の分だけ、冷却ファン６１の回転速度を低減できるとともに、他の発光管３２２を冷却できる流量の冷却空気を当該他の発光管３２２に確実に流通させることができる。従って、冷却ファン６１の駆動音及び風切音を低減できるので、プロジェクター１の静音化を図ることができる他、消費電力を低減できる。
【００４４】
流路切替機構９１（９１Ａ〜９１Ｄ）が、ダクト８の分流部８１に設けられていることにより、当該流路切替機構９１によって、点灯していない発光管３２２に向けて冷却空気が流通することを抑制できる他、当該点灯していない発光管３２２に向けて流通する冷却空気を他の発光管３２２に確実に分配できる。従って、現在点灯している発光管３２２を確実に冷却できる。
【００４５】
［実施形態の変形］
本発明は、上記各実施形態に限定されるものではなく、本発明の目的を達成できる範囲での変形、改良等は本発明に含まれるものである。
上記各実施形態では、光源として発光管３２２を有する光源装置３２が採用された。しかしながら、本発明はこれに限らない。すなわち、発光管３２２以外の光源を有する光源装置が採用されてもよい。
【００４６】
図８は、光源装置３６を示す模式図である。
例えば、発光管３２２を有する光源装置３２に代えて、複数の固体光源素子３６３を有する光源装置３６をプロジェクター１，１Ａに採用してもよい。
この光源装置３６は、図８に示すように、光源として固体光源ユニット３６１を備える。この固体光源ユニット３６１は、複数の固体光源素子３６３が基板３６４上にマトリクス状に配列された固体光源アレイ３６２と、各固体光源素子３６３を基板３６４に押圧固定するプレート３６５と、を有する。このような固体光源ユニット３６１に採用される固体光源素子３６３としては、ＬＤ（Laser Diode）やＬＥＤ（Light Emitting Diode）を例示できる。
なお、固体光源ユニット３６１が互いに離れて複数配置され、上記冷却ファン６１やダクト８及び流路切替機構９１によってそれぞれ個別に冷却可能であれば、それぞれの固体光源ユニット３６１を独立した光源装置と見なすことができる。
【００４７】
このような光源装置３６が光源装置３２に代えて複数採用された場合、上記点灯装置４が有する点灯回路４１のうち、当該光源装置３６に対応する点灯回路４１から供給される電力によって、当該各光源装置３６は点灯される。
そして、動作制御部７３が、複数の光源装置３６のそれぞれの点灯状態に応じて、当該光源装置３６に対応する冷却ファン６１（６１Ａ〜６１Ｄ）を駆動させ、少なくとも１つの光源装置３６が点灯していない場合に、当該冷却ファン６１の回転速度を低減させたり（冷却ファン６１を停止させたり）、上記流路切替機構９１を動作させることにより、上記プロジェクター１，１Ａと同様の効果を奏することができる。
なお、上記光源装置３６は、例えば、上記光変調装置３４が変調する色光毎に設けられ、それぞれ異なる色光（例えば、赤、緑及び青の色光）を出射する構成としてもよく、入射される励起光によって励起されて蛍光を発する蛍光体に当該励起光を出射する構成としてもよい。また、各光源装置３６の配置は、適宜設定可能である。
【００４８】
上記各実施形態では、発光管３２２が寿命等を迎えて点灯できなくなった場合だけでなく、動作制御部７３によって意図的に発光管３２２が点灯されていない場合でも、対応する冷却ファン６１を直ちに停止させる構成とした。しかしながら、本発明はこれに限らない。例えば、発光管３２２を意図的に点灯させていない場合には、当該発光管３２２の温度が充分に下がったことを確認した後に、対応する冷却ファン６１を停止させる構成としてもよい。このような発光管３２２の温度の確認は、発光管３２２近傍の温度を検出したり、発光管３２２を冷却した空気の温度を検出したりすることによって確認してもよく、発光管３２２を消灯してからの経過時間が、当該発光管３２２の温度が充分に下がる時間を超えたことを確認することによって実施してもよい。
【００４９】
上記第１実施形態では、点灯していない発光管３２２（光源装置３２）が存在する場合に、当該発光管３２２に冷却空気を流通させる冷却ファン６１を停止させるとした。しかしながら、本発明はこれに限らない。すなわち、当該冷却ファン６１の回転速度が低減されればよく、必ずしも当該冷却ファン６１を停止させる必要はない。
また、上記第２実施形態では、点灯していない発光管３２２（光源装置３２）が存在する場合に、対応する流路切替機構９１により、当該発光管３２２に流通される冷却空気の流路を閉塞して当該冷却空気を遮蔽するとともに、対応する冷却ファン６１の回転速度を低減させた。しかしながら、本発明はこれに限らない。例えば、対応する流路切替機構９１によって冷却空気の流路を完全には閉塞しなくてもよい。また、ダクト８に冷却空気を流通させる冷却ファン６１の数は２以上であってもよく、また、複数の光源装置３２、ダクト８、流路切替機構９及び冷却ファン６１のセットが複数あってもよい。
【００５０】
上記第１実施形態では、発光管３２２（光源装置３２）と冷却ファン６１とは１対１で対応するとした。しかしながら、本発明はこれに限らない。例えば、複数の発光管３２２（光源装置３２）に応じて１つの冷却ファン６１を設けてもよい。このような構成において、当該複数の発光管３２２のうちのいずれかが点灯していない場合には、対応する冷却ファン６１の回転速度を低減させてもよい。
上記各実施形態では、１つの光源装置３２は、１つの発光管３２２を有するとした。しかしながら、本発明はこれに限らず、複数の発光管３２２を有する構成としてもよい。
【００５１】
上記第２実施形態では、ダクト８は、各光源装置３２に向けて冷却空気を流通させる分流部８１を有し、当該分流部８１は、各光源装置３２に応じて分岐する構成であった。しかしながら、これに限らない。例えば、複数の光源装置３２が少なくとも１つの光源装置３２を含む複数のグループに分類され、まず各グループに応じて冷却空気を分流する分流部（第１分流部）を経た後、更に、他の分流部（第２分流部）によって各光源装置３２に応じて冷却空気を分流する構成としてもよい。この場合、冷却ファン６１の回転速度の低減に応じて、各分流部による流路の閉塞状態を調整し、点灯している光源装置３２には冷却空気が流通し、点灯していない光源装置３２には、冷却空気が流通しないように、或いは、点灯している光源装置３２に対する冷却空気より少ない流量の冷却空気が流通するように構成してもよい。
【００５２】
上記各実施形態では、照明装置３１は、４つの光源装置３２を備える構成とした。しかしながら、本発明はこれに限らない。すなわち、光源装置３２の数は、２以上であれば適宜変更可能である。また、各光源装置３２の発光管３２２にランプ電力を個別に供給可能であれば、点灯回路４１の数も適宜変更可能である。発光管３２２に代えて上記固体光源ユニット３６１を有する光源装置３６が採用される場合も同様である。
【符号の説明】
【００５３】
１，１Ａ…プロジェクター、３２（３２Ａ〜３２Ｄ）…光源装置（光源）、３２２…発光管（光源）、３６１…固体光源ユニット（光源）、６１（６１Ａ〜６１Ｄ）…冷却ファン、７…制御装置、８…ダクト、８１…分流部、９１（９１Ａ〜９１Ｄ）…流路切替機構。
【図１】
2016170206.tif 000003
【図２】
2016170206.tif 000004
【図３】
2016170206.tif 000005
【図４】
2016170206.tif 000006
【図５】
2016170206.tif 000007
【図６】
2016170206.tif 000008
【図７】
2016170206.tif 000009
【図８】
2016170206.tif 000010